(57)【要約】【構成】支柱の上端部に横杆を略Ｌ字状に連結し、この支柱と横杆とに旗部材を着脱可能に設置し、この旗部材の全体又は一部を立体形状にしたのぼり装置である。【効果】この立体形状部が３６０°いずれの方向からも着目できる結果、旗部材として人々の注意を換気しやすい。従来ののぼり装置に比し、その使用価値は向上し、特に、広告宣伝用として使用した場合その効果は極めて向上する。立体形状部をふくらまし形象にすれば、不使用時には立体形状部の空気を抜くことにより折り畳んでコンパクトにすることができるため、取扱いが容易になる。立体形状部を発泡樹脂製にすれば、この立体形状部の製造が容易になるため、その製造コストを低額化できる。旗部材の一部として平面表示部を着脱可能にすれば、人々の注意を換気する立体形状部をそのままの状態で、広告宣伝語句等を取り替えることができるため、その使用価値は拡大する。【選択図】　　　　　図１
2004037788.tif 000002
【特許請求の範囲】
【請求項１】
支柱の上端部に横杆を略Ｌ字状に連結し、この支柱と横杆とに旗部材を着脱可能に設置したのぼり装置において、前記旗部材の全体又は一部が立体表示部であることを特徴とするのぼり装置。
【請求項２】
請求項１ののぼり装置において、前記立体表示部がふくらまし形象であることを特徴とするのぼり装置。
【請求項３】
請求項１ののぼり装置において、前記立体表示部は発泡樹脂製であることを特徴とするのぼり装置。
【請求項４】
請求項１ののぼり装置において、前記旗部材の一部として平面表示部を着脱可能にしたことを特徴とするのぼり装置。
【請求項５】
請求項４ののぼり装置において、前記支柱に前記横杆と略平行に補助杆を設置し、前記横杆とこの補助杆との間に前記旗部材の立体表示部を着脱可能に設置し、かつ、この補助杆の下方に前記平面表示部を設置したことを特徴とするのぼり装置。
【発明の詳細な説明】
【０００１】
【産業上の利用分野】
この発明はのぼり装置に関し、例えば、催事の際の広告宣伝用として使用されるものである。
【０００２】
【従来の技術】
従来におけるこの種ののぼり装置は、支柱の上端部に横杆を略Ｌ字状に連結し、この支柱と横杆とに広告喧伝等が表示された旗部材を取り付け、人々の注意を換気していた。
【０００３】
【発明が解決しようとする課題】
しかしながら、かかる従来ののぼり装置にあっては、旗部材が、単に、平坦な布地，ビニール地等によって形成されていたにすぎないため、単調で人々に目に付きにくく、必ずしも、充分な宣伝効果等を達成しているとはいえないという不都合を有した。
【０００４】
この発明の課題はこれらの不都合を解消することである。
【０００５】
【課題を解決するための手段】
上記課題を達成するために、この発明に係るのぼり装置においては、支柱の上端部に横杆を略Ｌ字状に連結し、この支柱と横杆とに旗部材を着脱可能に設置したのぼり装置において、前記旗部材の全体又は一部を立体表示部にしたため、
この立体表示部が３６０°いずれの方向からも着目できる結果、旗部材として人々の注意を換気しやすいものである。
【０００６】
なお、前記立体表示部をふくらまし形象にすれば、不使用時には立体表示部の空気を抜くことにより折り畳んでコンパクトにすることができる。
【０００７】
また、前記立体表示部を発泡樹脂製にすれば、この立体表示部の製造が容易になる。
【０００８】
また、前記旗部材の一部として平面表示部を着脱可能にすれば、人々の注意を換気する立体表示部をそのままの状態で、広告宣伝語句等を取り替えることができる。
【０００９】
また、前記支柱に前記横杆と略平行に補助杆を設置し、前記横杆とこの補助杆との間に前記旗部材の立体表示部を着脱可能に設置し、かつ、この補助杆の下方に前記平面表示部を設置すれば、従来の旗部材を無駄にすることなく平面表示部として使用できる。
【００１０】
【実施例】
図１はこの発明に係るのぼり装置の斜視図、図２は図１におけるＩＩ−ＩＩ　線拡大断面図、図３は図２に相当する他の第二実施例の図、図４は図１に相当する第三実施例の図、図５は図４における補助杆の拡大斜視図、図６は図１に相当する第四実施例の図、図７は図１に相当する第五実施例の図である。
【００１１】
図１において、１０は支持台、１１はこの支持台１０に立設された支柱である。この支柱１１は伸縮自在のものである。１２は横杆であり、前記支柱１１の上端部に着脱可能に設置されている。この横杆１２は水平方向に延び、前記支柱１１と略Ｌ字状を構成している。１３は係止具であり，前記横杆１２の先端には設置されている。この係止具１３は後記ちち輪５１の抜け落ちを図っている。
【００１２】
次に、図１及び図２において、Ｆは四角形状の旗部材であり、前記支柱１１と前記横杆１２とで囲まれる空間に配置され、ちち輪５１，５１，…を介してこれら１１，１２　に繋がれている。この旗部材Ｆは立体表示部２０と平面表示部３０とから構成されている。この立体表示部２０は例えば柔軟なピニール製であり、立体形状部２１とその周縁に連設された平面周縁部２２とから構成され、この平面周縁部２２の端縁に前記ちち輪５１，５１，…が設置されている。前記立体形状部２１はふくらまし形象（この実施例では「たぬきのふくらまし形象」）であり、柔軟なビニール等で形成されている。このため、使用時に空気を入れて立体状にし、不使用時には空気を抜いて折り畳むことができる。なお、図３において、２５は前記立体形状部２１の空気孔、２６はその栓である。
【００１３】
この立体形状部２１は前記平面周縁部２２を一体的に形成することも別体で形成して互いに連設することもできる。なお、図２に第二実施例として示すように、前記立体形状部２１を発泡樹脂によって立体的に形成し、平面周縁部２２に貼着することもできる。
【００１４】
次に、前記平面表示部３０は旗状であり、その上端縁部を、マジックテープ（登録商標、以下同じ），　フック等の着脱具３１，３１　によって前記立体表示部２０の下端縁部に着脱可能に連設している。この平面表示部３０は例えば柔軟なピニール製であり、宣伝文句等の記述事項が表示されている。なお、この平面表示部３０もちち輪５２，５２，…を介して前記支柱１１に着脱可能に繋がれているが、必ずしも、繋ぐ必要はなく、単に、垂れ下がるようにしてもよい。
【００１５】
また、図示はしないが、前記平面表示部３０を前記立体表示部２０に一体的に形成することもできる。
【００１６】
また、前記平面表示部３０と前記立体表示部２０とを連設しないで、全く独立した状態にすることもできる。
【００１７】
また、前記平面周縁部２２を前記平面表示部３０として使用することもできる。
【００１８】
次に、図４および図５は第三実施例を示したものである。これらの図において、１４は補助杆であり、前記支柱１１の途中に弾性連結具１５を介して着脱可能に設置されている。この補助杆１４は前記横杆１２と略平行に延びている。この補助杆１４の先端にも係止具１３が設置されている（図４も参照のこと）。
【００１９】
この補助杆１４にはちち輪５３，５３，…を介して、前記立体表示部２０が繋がれているとともにちち輪５４，５４　を介して前記平面表示部３０が繋がれている。このように、捕縄杆１４を用いて、前記立体表示部２０に前記平面表示部３０を着脱可能に連設すれば、前記平面表示部３０として従来の旗部材を無駄なく使用できる。
【００２０】
また、この平面表示部３０もちち輪５２，５２，…を介して前記支柱１１に着脱可能に繋がれているが、必ずしも、繋ぐ必要なく、単に垂れ下がるようにしてもよい。
【００２１】
図６は第四実施例を示したものである。この実施例では、前記立体表示部２０として立体形状部２１のみを使用し、これを前記横杆１２に紐２６等によって吊り下げる。そして、前記平面表示部３０が前記立体形状部２１の下部に設置された取り付け片２５にマジックテープ，　フック等の着脱具３１によって着脱可能に連設している。なお、前記取り付け片２５を設けないで、紐等によって前記平面表示部３０が前記立体形状部２１とを繋いでもよい。この場合、立体形状部２１としては、ふくらまし形象として製造することもできるが、発泡樹脂（発泡ポリスチレン等）によって成形するのが低コストで製造できる。
【００２２】
また、前記平面表示部３０と前記立体表示部２０とを連設しないで、全く独立した状態にすることもできる。
【００２３】
また、前記平面表示部３０と前記立体表示部２０とを連設した状態で、前記平面表示部３０はちち輪５２，５２，…を介して前記支柱１１に着脱可能に繋がれているが、必ずしも、繋ぐ必要なく、単に、垂れ下がるようにしてもよい。
【００２４】
図７は第五実施例を示したものである。この実施例では、前記補助杆１４を用いたものであり、前記立体形状部２１の下端部を紐２７等によってこの補助杆１４に繋いだものである。また、この補助杆１４には第二実施例同様、平面表示部３０がちち輪５４，５４，　…を介して繋がれている。また、支柱１１との間のちち輪５２，５２，…はあっても無くてもよい。
【００２５】
上記実施例では、旗部材２０，３０　の材料として柔軟なピニールを使用したが、この発明はこれに限定されるものではなく、従来旗部材の材料として存在するすべてのものを使用することができることは当然である。
【００２６】
【発明の効果】
この発明に係るのぼり装置は、支柱の上端部に横杆を略Ｌ字状に連結し、この支柱と横杆とに旗部材を着脱可能に設置したのぼり装置において、前記旗部材の全体又は一部を立体表示部にしたため、この立体表示部が３６０°いずれの方向からも着目できる結果、旗部材として人々の注意を換気しやすいものである。
【００２７】
よって、こののぼり装置を使用すれは、従来ののぼり装置に比し、その使用価値は向上し、特に、広告宣伝用として使用した場合その効果は極めて向上するものである。
【００２８】
なお、前記立体表示部をふくらまし形象にすれば、不使用時には立体表示部の空気を抜くことにより折り畳んでコンパクトにすることができるため、取扱いが容易になる。
【００２９】
また、前記立体表示部を発泡樹脂製にすれば、この立体表示部の製造が容易になるため、その製造コストを低額化できる。
【００３０】
また、前記旗部材の一部として平面表示部を着脱可能にすれば、人々の注意を換気する立体表示部をそのままの状態で、広告宣伝語句等を取り替えることができるため、その使用価値は拡大する。
【００３１】
また、前記支柱に前記横杆と略平行に補助杆を設置し、前記横杆とこの補助杆との間に前記旗部材の立体表示部を着脱可能に設置し、かつ、この補助杆の下方に前記平面表示部を設置すれば、従来の旗部材を無駄にすることなく平面表示部として使用できるため、その使用価値は極めて高いものである。
【図面の簡単な説明】
【図１】
【実施例】
この発明に係るのぼり装置の斜視図である。
【図２】図１におけるＩＩ−ＩＩ　線拡大断面図である。
【図３】図２に相当する他の第二実施例の図である。
【図４】図１に相当する第三実施例の図である。
【図５】図４における補助杆の拡大斜視図である。
【図６】図１に相当する第四実施例の図である。
【図７】図１に相当する第五実施例の図である。
【符号の説明】
１１　…　支柱
１２　…　横杆
Ｆ　…　旗部材
２０　…　立体表示部
２１　…　立体形状部
２２　…　平面周縁部（平面表示部）
１４　…　補助杆
３０　…　平面表示部
【図１】
2004037788.tif 000003
【図２】
2004037788.tif 000004
【図３】
2004037788.tif 000005
【図４】
2004037788.tif 000006
【図５】
2004037788.tif 000007
【図６】
2004037788.tif 000008
【図７】
2004037788.tif 000009